【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
被写体を撮像して画像データを生成する撮像手段と、
前記撮像手段で生成された画像データの一画面を複数の領域に分割し、前記複数の領域の一部である第１のデータと、少なくとも前記複数の領域のうちの他の部分を含む第２のデータとを読み出す画像分割手段と、
前記第１のデータに基づいて第１の設定値を算出するとともに、前記第２のデータに基づいて第２の設定値を算出する算出手段と、
前記第１の設定値に基づいて、前記撮像手段で生成された画像データを変換して第１の変換画像データを生成するとともに、前記第２の設定値に基づいて、前記撮像手段で生成された画像データを変換して第２の変換画像データを生成する画像変換手段と、
を備える撮像装置。
【請求項２】
被写体を撮像して画像データを生成する撮像手段と、
前記撮像手段で生成された画像データの一画面を複数の領域に分割し、前記複数の領域の一部である第１のデータを読み出す画像分割手段と、
前記第１のデータに基づいて第１の設定値を算出するとともに、前記撮像手段で生成された一画面分の画像データに基づいて第３の設定値を算出する算出手段と、
前記第１の設定値に基づいて、前記撮像手段で生成された画像データを変換して第１の変換画像データを生成するとともに、前記第３の設定値に基づいて、前記撮像手段で生成された画像データを変換して第３の変換画像データを生成する画像変換手段と、
を備える撮像装置。
【請求項３】
被写体を撮像して画像データを生成する撮像手段と、
前記撮像手段で生成された画像データの一画面を複数の領域に分割し、前記複数の領域の一部である第１のデータと、少なくとも前記複数の領域のうちの他の部分を含む第２のデータとを読み出す画像分割手段と、
前記第１のデータに基づいて第１の設定値を算出し、前記第２のデータに基づいて第２の設定値を算出するとともに、前記撮像手段で生成された一画面分の画像データに基づいて第３の設定値を算出する算出手段と、
前記第１の設定値に基づいて、前記撮像手段で生成された画像データを変換して第１の変換画像データを生成し、前記第２の設定値に基づいて、前記撮像手段で生成された画像データを変換して第２の変換画像データを生成するとともに、前記第３の設定値に基づいて、前記撮像手段で生成された画像データを変換して第３の変換画像データを生成する画像変換手段と、
を備える撮像装置。
【請求項４】
被写体を撮像して画像データを生成する撮像手段と、
前記撮像手段で生成された画像データの一画面を複数の領域に分割する画像分割手段と、
前記分割された複数の領域の一部または全部について、各領域の画像データを画像変換する際に用いる設定値をそれぞれ設定基礎値として算出する算出手段と、
前記算出した複数の設定基礎値のうちの一部に基づいて第１の設定値を設定するとともに、前記算出した複数の設定基礎値のうちの少なくとも他の設定基礎値を含む１または複数の設定基礎値に基づいて第２の設定値を設定する設定手段と、
前記第１の設定値に基づいて、前記撮像手段で生成された画像データを変換して第１の変換画像データを生成するとともに、前記第２の設定値に基づいて、前記撮像手段で生成された画像データを変換して第２の変換画像データを生成する画像変換手段と、
を備える撮像装置。
【請求項５】
被写体を撮像して画像データを生成する撮像手段と、
前記撮像手段で生成された画像データの一画面を複数の領域に分割する画像分割手段と、
前記分割された複数の領域の全部について、各領域の画像データを画像変換する際に用いる設定値をそれぞれ設定基礎値として算出する算出手段と、
前記算出した複数の設定基礎値のうちの一部に基づいて第１の設定値を設定するとともに、前記算出した複数の設定基礎値の全部に基づいて第３の設定値を設定する設定手段と、
前記第１の設定値に基づいて、前記撮像手段で生成された画像データを変換して第１の変換画像データを生成するとともに、前記第３の設定値に基づいて、前記撮像手段で生成された画像データを変換して第３の変換画像データを生成する画像変換手段と、
を備える撮像装置。
【請求項６】
被写体を撮像して画像データを生成する撮像手段と、
前記撮像手段で生成された画像データの一画面を複数の領域に分割する画像分割手段と、
前記分割された複数の領域の全部について、各領域の画像データを画像変換する際に用いる設定値をそれぞれ設定基礎値として算出する算出手段と、
前記算出した複数の設定基礎値のうちの一部に基づいて第１の設定値を設定し、前記算出した複数の設定基礎値のうちの少なくとも他の設定基礎値を含む１または複数の設定基礎値に基づいて第２の設定値を設定するとともに、前記算出した複数の設定基礎値の全部に基づいて第３の設定値を設定する設定手段と、
前記第１の設定値に基づいて、前記撮像手段で生成された画像データを変換して第１の変換画像データを生成し、前記第２の設定値に基づいて、前記撮像手段で生成された画像データを変換して第２の変換画像データを生成するとともに、前記第３の設定値に基づいて、前記撮像手段で生成された画像データを変換して第３の変換画像データを生成する画像変換手段と、
を備える撮像装置。
【請求項７】
被写体を撮像して画像データを生成する撮像手段と、
前記撮像手段で生成された画像データの一画面を複数の領域に分割し、前記複数の領域の一部である第１のデータと、少なくとも前記複数の領域のうちの他の部分を含む第２のデータとを読み出す画像分割手段と、
前記第１のデータに基づいて第１のホワイトバランス補正値を算出するとともに、前記第２のデータに基づいて第２のホワイトバランス補正値を算出する算出手段と、
前記第１のホワイトバランス補正値に基づいて、前記撮像手段で生成された画像データのホワイトバランスを補正して第１の変換画像データを生成するとともに、前記第２のホワイトバランス補正値に基づいて、前記撮像手段で生成された画像データのホワイトバランスを補正して第２の変換画像データを生成する画像変換手段と、
を備える撮像装置。
【請求項８】
被写体を撮像して画像データを生成する撮像手段と、
前記撮像手段で生成された画像データの一画面を複数の領域に分割し、前記複数の領域の一部である第１のデータを読み出す画像分割手段と、
前記第１のデータに基づいて第１のホワイトバランス補正値を算出するとともに、前記撮像手段で生成された一画面分の画像データに基づいて第３のホワイトバランス補正値を算出する算出手段と、
前記第１のホワイトバランス補正値に基づいて、前記撮像手段で生成された画像データのホワイトバランスを補正して第１の変換画像データを生成するとともに、前記第３の設定値に基づいて、前記撮像手段で生成された画像データのホワイトバランスを補正して第３の変換画像データを生成する画像変換手段と、
を備える撮像装置。
【請求項９】
被写体を撮像して画像データを生成する撮像手段と、
前記撮像手段で生成された画像データの一画面を複数の領域に分割し、前記複数の領域の一部である第１のデータと、少なくとも前記複数の領域のうちの他の部分を含む第２のデータとを読み出す画像分割手段と、
前記第１のデータに基づいて第１のホワイトバランス補正値を算出し、前記第２のデータに基づいて第２のホワイトバランス補正値を算出するとともに、前記撮像手段で生成された一画面分の画像データに基づいて第３のホワイトバランス補正値を算出する算出手段と、
前記第１のホワイトバランス補正値に基づいて、前記撮像手段で生成された画像データのホワイトバランスを補正して第１の変換画像データを生成し、前記第２のホワイトバランス補正値に基づいて、前記撮像手段で生成された画像データのホワイトバランスを補正して第２の変換画像データを生成するとともに、前記第３の設定値に基づいて、前記撮像手段で生成された画像データのホワイトバランスを補正して第３の変換画像データを生成する画像変換手段と、
を備える撮像装置。
【請求項１０】
被写体を撮像して画像データを生成する撮像手段と、
前記撮像手段で生成された画像データの一画面を複数の領域に分割する画像分割手段と、
前記分割された複数の領域の一部または全部について、各領域の画像データのホワイトバランスを補正する際に用いるホワイトバランス補正値をそれぞれホワイトバランス補正基礎値として算出する算出手段と、
前記算出した複数のホワイトバランス補正基礎値のうちの一部に基づいて第１のホワイトバランス補正値を設定するとともに、前記算出した複数のホワイトバランス補正基礎値のうちの少なくとも他のホワイトバランス補正基礎値を含む１または複数のホワイトバランス補正基礎値に基づいて第２のホワイトバランス補正値を設定する設定手段と、
前記第１のホワイトバランス補正値に基づいて、前記撮像手段で生成された画像データのホワイトバランスを補正して第１の変換画像データを生成するとともに、前記第２のホワイトバランス補正値に基づいて、前記撮像手段で生成された画像データのホワイトバランスを補正して第２の変換画像データを生成する画像変換手段と、
を備える撮像装置。
【請求項１１】
被写体を撮像して画像データを生成する撮像手段と、
前記撮像手段で生成された画像データの一画面を複数の領域に分割する画像分割手段と、
前記分割された複数の領域の全部について、各領域の画像データのホワイトバランスを補正する際に用いるホワイトバランス補正値をそれぞれホワイトバランス補正基礎値として算出する算出手段と、
前記算出した複数のホワイトバランス補正基礎値のうちの一部に基づいて第１のホワイトバランス補正値を設定するとともに、前記算出した複数のホワイトバランス補正基礎値の全部に基づいて第３のホワイトバランス補正値を設定する設定手段と、
前記第１のホワイトバランス補正値に基づいて、前記撮像手段で生成された画像データのホワイトバランスを補正して第１の変換画像データを生成するとともに、前記第３のホワイトバランス補正値に基づいて、前記撮像手段で生成された画像データのホワイトバランスを補正して第３の変換画像データを生成する画像変換手段と、
を備える撮像装置。
【請求項１２】
被写体を撮像して画像データを生成する撮像手段と、
前記撮像手段で生成された画像データの一画面を複数の領域に分割する画像分割手段と、
前記分割された複数の領域の全部について、各領域の画像データのホワイトバランスを補正する際に用いるホワイトバランス補正値をそれぞれホワイトバランス補正基礎値として算出する算出手段と、
前記算出した複数のホワイトバランス補正基礎値のうちの一部に基づいて第１のホワイトバランス補正値を設定し、前記算出した複数のホワイトバランス補正基礎値のうちの少なくとも他のホワイトバランス補正基礎値を含む１または複数のホワイトバランス補正基礎値に基づいて第２のホワイトバランス補正値を設定するとともに、前記算出した複数のホワイトバランス補正基礎値の全部に基づいて第３のホワイトバランス補正値を設定する設定手段と、
前記第１のホワイトバランス補正値に基づいて、前記撮像手段で生成された画像データのホワイトバランスを補正して第１の変換画像データを生成するとともに、前記第３のホワイトバランス補正値に基づいて、前記撮像手段で生成された画像データのホワイトバランスを補正して第３の変換画像データを生成する画像変換手段と、
を備える撮像装置。
【請求項１３】
前記第１の変換画像データまたは前記第２の変換画像データまたはその他の変換画像データのいずれかを選択する画像選択手段を備える請求項１から１２のいずれかに記載の撮像装置。
【請求項１４】
前記画像選択手段で選択した変換画像データ、またはその変換画像データを圧縮したデータを記憶媒体に記憶するよう制御する制御手段を備える請求項１３に記載の撮像装置。
【請求項１５】
被写体を撮像して画像データを生成する第１のステップと、
前記第１のステップで生成された画像データの一画面を複数の領域に分割する第２のステップと、
前記複数の領域の一部である第１のデータを読み出す第３のステップと、
少なくとも前記複数の領域のうちの他の部分を含む第２のデータを読み出す第４のステップと、
前記第１のデータに基づいて第１の設定値を算出する第５のステップと、
前記第２のデータに基づいて第２の設定値を算出する第６のステップと、
前記第１の設定値に基づいて、前記第１のステップで生成された画像データを変換して第１の変換画像データを生成する第７のステップと、
前記第２の設定値に基づいて、前記第１のステップで生成された画像データを変換して第２の変換画像データを生成する第８のステップと、
を備える画像データの変換方法。
【請求項１６】
被写体を撮像して画像データを生成する第１のステップと、
前記第１のステップで生成された画像データの一画面を複数の領域に分割する第２のステップと、
前記複数の領域の一部である第１のデータを読み出す第３のステップと、
前記第１のデータに基づいて第１の設定値を算出する第４のステップと、
前記第１のステップで生成された一画面分の画像データに基づいて第３の設定値を算出する第５のステップと、
前記第１の設定値に基づいて、前記第１のステップで生成された画像データを変換して第１の変換画像データを生成する第６のステップと、
前記第３の設定値に基づいて、前記第１のステップで生成された画像データを変換して第３の変換画像データを生成する第７のステップと、
を備える画像データの変換方法。
【請求項１７】
被写体を撮像して画像データを生成する第１のステップと、
前記第１のステップで生成された画像データの一画面を複数の領域に分割する第２のステップと、
前記複数の領域の一部である第１のデータを読み出す第３のステップと、  
少なくとも前記複数の領域のうちの他の部分を含む第２のデータを読み出す第４のステップと、
前記第１のデータに基づいて第１の設定値を算出する第５のステップと、
前記第２のデータに基づいて第２の設定値を算出する第６のステップと、
前記第１のステップで生成された一画面分の画像データに基づいて第３の設定値を算出する第７のステップと、
前記第１の設定値に基づいて、前記第１のステップで生成された画像データを変換して第１の変換画像データを生成する第８のステップと、
前記第２の設定値に基づいて、前記第１のステップで生成された画像データを変換して第２の変換画像データを生成する第９のステップと、
前記第３の設定値に基づいて、前記第１のステップで生成された画像データを変換して第３の変換画像データを生成する第１０のステップと、
を備える画像データの変換方法。
【請求項１８】
被写体を撮像して画像データを生成する第１のステップと、
前記第１のステップで生成された画像データの一画面を複数の領域に分割する第２のステップと、
前記分割された複数の領域の一部または全部について、各領域の画像データのホワイトバランスを補正する際に用いるホワイトバランス補正値をそれぞれホワイトバランス補正基礎値として算出する第３のステップと、
前記算出した複数のホワイトバランス補正基礎値のうちの一部に基づいて第１のホワイトバランス補正値を設定する第４のステップと、
前記算出した複数のホワイトバランス補正基礎値のうちの少なくとも他のホワイトバランス補正基礎値を含む１または複数のホワイトバランス補正基礎値に基づいて第２のホワイトバランス補正値を設定する第５のステップと、
前記第１のホワイトバランス補正値に基づいて、前記第１のステップで生成された画像データのホワイトバランスを補正して第１の変換画像データを生成する第６のステップと、
前記第２のホワイトバランス補正値に基づいて、前記第１のステップで生成された画像データのホワイトバランスを補正して第２の変換画像データを生成する第７のステップと、
を備える画像データの変換方法。
【請求項１９】
被写体を撮像して画像データを生成する第１のステップと、
前記第１のステップで生成された画像データの一画面を複数の領域に分割する第２のステップと、
前記分割された複数の領域の全部について、各領域の画像データのホワイトバランスを補正する際に用いるホワイトバランス補正値をそれぞれホワイトバランス補正基礎値として算出する第３のステップと、
前記算出した複数のホワイトバランス補正基礎値のうちの一部に基づいて第１のホワイトバランス補正値を設定する第４のステップと、
前記算出した複数のホワイトバランス補正基礎値の全部に基づいて第３のホワイトバランス補正値を設定する第５のステップと、
前記第１のホワイトバランス補正値に基づいて、前記第１のステップで生成された画像データのホワイトバランスを補正して第１の変換画像データを生成する第６のステップと、
前記第３のホワイトバランス補正値に基づいて、前記第１のステップで生成された画像データのホワイトバランスを補正して第３の変換画像データを生成する第７のステップと、
を備える画像データの変換方法。
【請求項２０】
被写体を撮像して画像データを生成する第１のステップと、
前記第１のステップで生成された画像データの一画面を複数の領域に分割する第２のステップと、
前記分割された複数の領域の全部について、各領域の画像データのホワイトバランスを補正する際に用いるホワイトバランス補正値をそれぞれホワイトバランス補正基礎値として算出する第３のステップと、
前記算出した複数のホワイトバランス補正基礎値のうちの一部に基づいて第１のホワイトバランス補正値を設定する第４のステップと、
前記算出した複数のホワイトバランス補正基礎値のうちの少なくとも他のホワイトバランス補正基礎値を含む１または複数のホワイトバランス補正基礎値に基づいて第２のホワイトバランス補正値を設定する第５のステップと、
前記算出した複数のホワイトバランス補正基礎値の全部に基づいて第３のホワイトバランス補正値を設定する第６のステップと、
前記第１のホワイトバランス補正値に基づいて、前記第１のステップで生成された画像データのホワイトバランスを補正して第１の変換画像データを生成する第７のステップと、
前記第２のホワイトバランス補正値に基づいて、前記第１のステップで生成された画像データのホワイトバランスを補正して第２の変換画像データを生成する第８のステップと、
前記第３のホワイトバランス補正値に基づいて、前記第１のステップで生成された画像データのホワイトバランスを補正して第３の変換画像データを生成する第９のステップと、
を備える画像データの変換方法。